(57)【特許請求の範囲】
【請求項１】
トラクタ駆動軸とこのトラクタ駆動軸とほぼ平行に配置されたトラクタガイド軸とを備え、
これら軸上に離間自在に配置され、各軸間に掛け渡されて連続紙の側縁部を保持する一対のトラクタセットを備え、
少なくとも一方のトラクタセットが、
トラクタガイド軸に外嵌しこのトラクタガイド軸に固定自在なチャック部と、このチャック部とトラクタ駆動軸が貫通し連続紙の側縁部を保持自在なベース部と、このベース部に保持された連続紙の側縁部を押さえるシート押え蓋とを備え、チャック部がトラクタガイド軸に固定された場合、連続紙に横方向への張力を付与する方向に、当該チャック部に対しベース部を付勢するばね手段を備えたことを特徴とするトラクタユニット。
【請求項２】
前記チャック部をトラクタガイド軸に固定させるハンドルを備え、このハンドルが固定位置に移動された場合、前記ばね手段が、連続紙に横方向への張力を付与する方向に、ベース部を付勢する構成としたことを特徴とする請求項１記載のトラクタユニット。
【請求項３】
前記チャック部をトラクタガイド軸に固定させる回転自在なハンドルを備え、このハンドルが固定位置に回転された場合、前記ばね手段が、連続紙に横方向への張力を付与する方向に、ベース部を付勢すると共に、前記ハンドルがシート押え蓋の開きを防止する構成としたことを特徴とする請求項１記載のトラクタユニット。
【請求項４】
キャリッジに搭載された記録ヘッドを用いてトラクタユニットにより搬送される連続紙に画像を記録する記録装置において、
前記トラクタユニットが、
トラクタ駆動軸とこのトラクタ駆動軸とほぼ平行に配置されたトラクタガイド軸とを備え、
これら軸上に離間自在に配置され、各軸間に掛け渡されて連続紙の側縁部を保持する一対のトラクタセットを備え、
少なくとも一方のトラクタセットが、
トラクタガイド軸に外嵌しこのトラクタガイド軸に固定自在なチャック部と、このチャック部とトラクタ駆動軸が貫通し連続紙の側縁部を保持自在なベース部と、このベース部に保持された連続紙の側縁部を押さえるシート押え蓋とを備え、チャック部がトラクタガイド軸に固定された場合、連続紙に横方向への張力を付与する方向に、当該チャック部に対しベース部を付勢するばね手段を備えたことを特徴とする記録装置。
【請求項５】
前記チャック部をトラクタガイド軸に固定させるハンドルを備え、このハンドルが固定位置に移動された場合、前記ばね手段が、連続紙に横方向への張力を付与する方向に、ベース部を付勢する構成としたことを特徴とする請求項４記載の記録装置。
【請求項６】
前記チャック部をトラクタガイド軸に固定させる回転自在なハンドルを備え、このハンドルが固定位置に回転された場合、前記ばね手段が、連続紙に横方向への張力を付与する方向に、ベース部を付勢すると共に、前記ハンドルがシート押え蓋の開きを防止する構成としたことを特徴とする請求項４記載の記録装置。
【発明の詳細な説明】
【０００１】
【発明の属する技術分野】
本発明は、連続紙の側縁部を保持する一対のトラクタセットを備えたトラクタユニット及び記録装置に関する。
【０００２】
【従来の技術】
一般に、キャリッジに搭載された記録ヘッドを用いてトラクタユニットにより搬送される連続紙に画像を記録する記録装置が知られている。
【０００３】
この種のものでは、トラクタユニットが、連続紙の側縁部を保持する一対のトラクタセットを備え、少なくとも一方のトラクタセットを離間させる方向に付勢して、連続紙に横方向への張力を付与しつつ搬送するのが一般的である。
【０００４】
【発明が解決しようとする課題】
しかし、従来のトラクタユニットでは、一方のトラクタセットにケーブルを介して重錘を取り付けて付勢し（特開平５−３３８２８６号公報）、或いはトラクタセットをワイヤで引っ張るように付勢し（特開平６−５６３２０号公報）ているが、重錘やワイヤが邪魔になる等の問題がある。
【０００５】
そこで、本発明の目的は、上述した従来技術が有する課題を解消し、簡単な構成によって、連続紙の横方向の張力を安定的に付与することができるトラクタユニット及び記録装置を提供することにある。
【０００６】
【課題を解決するための手段】
請求項１に記載の発明は、トラクタ駆動軸とこのトラクタ駆動軸とほぼ平行に配置されたトラクタガイド軸とを備え、これら軸上に離間自在に配置され、各軸間に掛け渡されて連続紙の側縁部を保持する一対のトラクタセットを備え、少なくとも一方のトラクタセットが、トラクタガイド軸に外嵌しこのトラクタガイド軸に固定自在なチャック部と、このチャック部とトラクタ駆動軸が貫通し連続紙の側縁部を保持自在なベース部と、このベース部に保持された連続紙の側縁部を押さえるシート押え蓋とを備え、チャック部がトラクタガイド軸に固定された場合、連続紙に横方向への張力を付与する方向に、当該チャック部に対しベース部を付勢するばね手段を備えたことを特徴とする。
【０００８】
請求項２記載の発明は、請求項１記載のものにおいて、前記チャック部をトラクタガイド軸に固定させるハンドルを備え、このハンドルが固定位置に移動された場合、前記ばね手段が、連続紙に横方向への張力を付与する方向に、ベース部を付勢する構成としたことを特徴とする。
【０００９】
請求項３記載の発明は、請求項１記載のものにおいて、前記チャック部をトラクタガイド軸に固定させる回転自在なハンドルを備え、このハンドルが固定位置に回転された場合、前記ばね手段が、連続紙に横方向への張力を付与する方向に、ベース部を付勢すると共に、前記ハンドルがシート押え蓋の開きを防止する構成としたことを特徴とする。
【００１１】
請求項４記載の発明は、キャリッジに搭載された記録ヘッドを用いてトラクタユニットにより搬送される連続紙に画像を記録する記録装置において、前記トラクタユニットが、トラクタ駆動軸とこのトラクタ駆動軸とほぼ平行に配置されたトラクタガイド軸とを備え、これら軸上に離間自在に配置され、各軸間に掛け渡されて連続紙の側縁部を保持する一対のトラクタセットを備え、少なくとも一方のトラクタセットが、トラクタガイド軸に外嵌しこのトラクタガイド軸に固定自在なチャック部と、このチャック部とトラクタ駆動軸が貫通し連続紙の側縁部を保持自在なベース部と、このベース部に保持された連続紙の側縁部を押さえるシート押え蓋とを備え、チャック部がトラクタガイド軸に固定された場合、連続紙に横方向への張力を付与する方向に、当該チャック部に対しベース部を付勢するばね手段を備えたことを特徴とする。
【００１２】
請求項５記載の発明は、請求項４記載のものにおいて、前記チャック部をトラクタガイド軸に固定させるハンドルを備え、このハンドルが固定位置に移動された場合、前記ばね手段が、連続紙に横方向への張力を付与する方向に、ベース部を付勢する構成としたことを特徴とする。
【００１３】
請求項６記載の発明は、請求項４記載のものにおいて、前記チャック部をトラクタガイド軸に固定させる回転自在なハンドルを備え、このハンドルが固定位置に回転された場合、前記ばね手段が、連続紙に横方向への張力を付与する方向に、ベース部を付勢すると共に、前記ハンドルがシート押え蓋の開きを防止する構成としたことを特徴とする。
【００１４】
【発明の実施の形態】
以下、本発明の実施の形態を、図面に基づき説明する。
【００１５】
図１は、本発明に係る記録装置の一実施の形態が適用されたドットインパクトプリンタのプリンタ本体を示す側断面図である。
【００１６】
この図に示す記録装置としてのプリンタ１０は、記録ヘッド１８の多数の記録ワイヤを、インクリボン（不図示）を介してシートに打ち付けてドットを記録することにより、文字を含む画像を印刷するドットインパクトプリンタである。このプリンタ１０は、記録装置本体としてのプリンタ本体１１と、プリンタ本体１１に装着されたプッシュトラクタユニット１２と、プリンタ本体１１の上方、下方をそれぞれ覆うアッパケース１１Ａ及びロアケース１１Ｂと、プリンタ本体１１の前方側に設置されてカットシートＫを案内するシート供給ガイド３８と、を有して構成される。
【００１７】
上記シートには、所定長さに切断された上記カットシートＫと、複数枚が連接された連続シートとがある。カットシートＫとしては、例えば単票紙（単票複写紙を含む）又はカットフィルム等があり、連続シートとしては連続紙（連続複写紙を含む）がある。
【００１８】
上記プリンタ本体１１は、図２に示すように、本体フレームとしてのベースフレーム１４、メインフレーム１５、左サイドフレーム１６及び右サイドフレーム１７と、記録機構部としての記録ヘッド１８及びキャリッジ１９と、シート搬送機構部としての平プラテン２０、シート案内２５、第１搬送ローラ２１、この第１搬送ローラ２１に対向する第２搬送ローラ（不図示）、第３搬送ローラ２３及びこれに対向する第４搬送ローラ２４と、を有して構成される。また、４２はステーショナリー形式のリボンカートリッジであり、このリボンカートリッジ４２にはインクリボンが収納されている。
【００１９】
図３は、リボンカートリッジ４２を取り除いた状態を示し、図４は、記録ヘッド１８を含む縦断面を示している。
【００２０】
ベースフレーム１４及びメインフレーム１５の略両端部に、左サイドフレーム１６及び右サイドフレーム１７が立設して固定される。これらの左サイドフレーム１６と右サイドフレーム１７間に、キャリッジガイド板２６とキャリッジ軸２７とが上下前後方向に所定距離離れて架け渡される。キャリッジ軸２７は左サイドフレーム１６及び右サイドフレーム１７に回動自在に枢支される。左サイドフレーム１６と右サイドフレーム１７間に平プラテン２０が架け渡されて配設されると共に、シート案内２５が固定して配設される。
【００２１】
上記プッシュトラクタユニット１２は、連続シート（例えば連続紙）を、プラテン２０を備えた上記シート搬送機構部へ供給するものであり、左右一対のトラクタ２８を有する。これらのトラクタ２８は、トラクタ駆動軸２９に回転一体且つ軸方向摺動自在に軸支されたトラクタ駆動プーリ２９Ａと、トラクタガイド軸３０に回転自在且つ軸方向に摺動自在に軸支されたトラクタ従動プーリ（不図示）とにトラクタベルト３１が巻き掛けられ、シート押え蓋３２を備えて構成される。一対のトラクタ２８間の距離は、搬送すべき連続シート（連続紙）の幅寸法に応じて調整可能とされる。また、トラクタベルト３１の全外周に突設された複数本のピン３３が、連続シートの幅方向両側に穿設された孔（不図示）に係合可能とされる。プラテン２０を含む上記シート搬送機構部は、プラテン２０に対し、第１搬送ローラ２１及び第２搬送ローラ（不図示）がプリンタ本体１１の前方側に、第３搬送ローラ２３及び第４搬送ローラ２４がプリンタ本体１１の後方側にそれぞれ配置されて構成される。更に、第１搬送ローラ２１と第２搬送ローラ（不図示）が、また第３搬送ローラ２３と第４搬送ローラ２４が、それぞれ上下方向に配置されて対をなしている。
【００２２】
このうち、第１搬送ローラ２１及び第３搬送ローラ２３は、プラテン２０と共にシート案内２５の下方に配置され、第２搬送ローラ（不図示）及び第４搬送ローラ２４がシート案内２５の上方に配置される。
【００２３】
第１搬送ローラ２１、第２搬送ローラ（不図示）、第３搬送ローラ２３及び第４搬送ローラ２４は、図１に示す駆動輪列部３４により、図中時計方向（ＣＷ）または反時計方向（ＣＣＷ）に回転駆動される。また、上記プッシュトラクタユニット１２のトラクタベルト３１は、同様に駆動輪列部３４により反時計方向に駆動される。
【００２４】
上記駆動輪列部３４は、左サイドフレーム１６又は右サイドフレーム１７の一方、例えば右サイドフレーム１７に設置される。この駆動輪列部３４は、正転または逆転可能なシート供給モータ３５の駆動軸に回転一体に固定されたモータピニオン３６を備える。このモータピニオン３６からの駆動力が巻掛け伝動機構や歯車機構等の駆動輪列部３４を介して、第１搬送ローラ２１、第２搬送ローラ（不図示）、第３搬送ローラ２３、第４搬送ローラ２４及びプッシュトラクタユニット１２へ伝動可能とされる。
【００２５】
駆動輪列部３４のうちの係合解除ギア３４Ａは、モータピニオン３６からの駆動力を、プッシュトラクタユニット１２のトラクタベルト３１に伝動、或いは不伝動のいずれかに切り換えるギアである。
【００２６】
単票紙又は複写紙等のカットシートＫは、プリンタ本体１１の前方側から手動供給された後、第１搬送ローラ２１及び第３搬送ローラ２３の時計方向の回転、並びに第２搬送ローラ（不図示）、第４搬送ローラ２４の反時計方向の回転により、プリンタ本体１１の前方から後方へ向かって矢印Ａ方向に搬送される。また、上記カットシートＫは、第１搬送ローラ２１及び第３搬送ローラ２３の反時計方向の回転、並びに第２搬送ローラ（不図示）、第４搬送ローラ２４の時計方向の回転により、プリンタ本体１１の後方から前方へ向かって矢印Ｂ方向に搬送される。
【００２７】
また、連続紙等の連続シートは、プッシュトラクタユニット１２によりプリンタ本体１１の後方側から上述の矢印Ｂ方向に供給された後、第１搬送ローラ２１、第２搬送ローラ（不図示）、第３搬送ローラ２３及び第４搬送ローラ２４によりプリンタ本体１１の後方から前方へ、もしくは前方から後方へ（矢印Ｂ方向もしくはＡ方向）に搬送される。
【００２８】
これにより、カットシートＫ及び連続シートは、キャリッジ１９の後述の主走査方向に直交する副走査方向に搬送される。
【００２９】
上記キャリッジ１９は、図４に示すように、キャリッジ軸２７に摺動自在に挿通されると共に、記録ヘッド１８を搭載する。
【００３０】
キャリッジ軸２７がプラテン２０と平行に配置されることから、キャリッジ１９は、これらプラテン２０、キャリッジ軸２７の軸方向と一致する主走査方向に走行（走査）可能に設けられる。このキャリッジ１９は、キャリッジ駆動モータ（不図示）の正転又は逆転により往復移動されるタイミングベルト（不図示）に結合される。従って、このキャリッジ１９は、キャリッジ駆動モータの正転又は逆転により、タイミングベルトを介し、キャリッジ軸２７に案内されて、主走査方向における図２又は図３の左向き又は右向きに走査される。
【００３１】
ここで、キャリッジ駆動モータは、シート供給モータと共に例えばステッピングモータにて構成される。
【００３２】
キャリッジ１９には、図４に示すように、ステーショナリー形式のリボンカートリッジ４２内のインクリボンから、プラテン２０の上面に接して搬送されるシート（カットシートまたは連続シート）を保護するリボンマスクホルダ４１が設置されている。リボンカートリッジ４２内のインクリボンは、リボン駆動軸４３により駆動されて、記録ヘッド１８の記録ワイヤの前方を、主走査方向と同一の方向に移動可能に構成される。
【００３３】
上記記録ヘッド１８は多数の記録ワイヤ（不図示）を備え、これらの記録ワイヤの突出方向前方に、上述の如くインクリボンが位置する。記録ヘッド１８は、キャリッジ１９と共に主走査方向に走査される間に、記録ワイヤを突出させてインクリボンに打ち当て、このインクリボンのインクを、プラテン２０と記録ヘッド１８との間に搬送されるシート（カットシートＫ又は連続シート）に付着させて、このシートに文字を含む画像を記録する。
【００３４】
記録ヘッド１８による記録動作は、キャリッジ１９が主走査方向左向き又は右向きに走査される間に、記録ヘッド１８の記録ワイヤにより一行文の記録がなされ、この一行文の記録がなされる度に、シートがカットシートＫの場合には、シート搬送機構部（プラテン２０、第１搬送ローラ２１、第２搬送ローラ（不図示）、第３搬送ローラ２３及び第４搬送ローラ２４）が、またシートが連続シートの場合には、上記シート搬送機構部及びプッシュトラクタユニット１２が、それぞれシートを所定長（通常行間分）搬送させ、これらの動作が繰り返されることにより実施される。
【００３５】
図５は、トラクタユニット１２を示している。
【００３６】
このトラクタユニット１２は、一対のサイドフレーム１６，１７間に掛け渡された、トラクタ駆動軸５１とこのトラクタ駆動軸５１とほぼ平行に配置されたトラクタガイド軸５２とを備え、これら軸上５１，５２に離間自在に、連続紙の側縁部を保持する一対のトラクタセット５３，５４を備えて構成されている。一方のトラクタセット５３は、各軸上５１，５２に固定されており、他方のトラクタセット５４は、軸上５１，５２を移動自在に構成される。
【００３７】
このトラクタセット５４は、図６に示すように、トラクタガイド軸５２に外嵌し、このトラクタガイド軸５２に固定自在なチャック部５５と、このチャック部５５とトラクタ駆動軸５１が貫通し、連続紙の側縁部を保持自在なベース部５６と、このベース部５６の内周とチャック部５５の外周との間の環状空間に配置されて、チャック部５５に対しベース部５６を、図５の矢印Ａ方向に常時付勢するコイルスプリング５７と、ベース部５６に保持された連続紙の側縁部を押さえるシート押え蓋３２とを備えて構成される。
【００３８】
図６Ｂに示すように、ベース部５６から突出したチャック部５５の一部５５Ａには、ハンドル５８が取り付けられ、このハンドル５８を、図６Ｃの矢印Ｂ方向に回動させた場合、チャック部５５の一部５５Ａがつぶれて、一部５５Ａの内径が縮まり、トラクタガイド軸５２が把持され、これによってトラクタガイド軸５２の軸上にチャック部５５が固定される。
【００３９】
図６Ｂに示すように、ベース部５６の上面の凹溝内には、上記トラクタベルト３１が移動自在に収納され、このトラクタベルト３１のピン３３には連続紙Ｒの側縁部の孔が係合し、この連続紙Ｒは、トラクタベルト３１の移動に伴って、図６Ａの矢印Ｃ方向に搬送される。また、図６Ａ及び図６Ｃに示すように、ベース部５６には、ハンドル５８に当接自在な端部５６Ａと、この端部５６Ａに連なる切欠き５６Ｂとが形成されている。
【００４０】
図６は、トラクタガイド軸５２に対して、トラクタセット５４を固定する前の状態を示し、図７は、トラクタガイド軸５２に対して、トラクタセット５４を固定した後の状態を示している。
【００４１】
各軸上５１，５２に固定された一方のトラクタセット５３と、各軸上５１，５２を移動自在な他方のトラクタセット５４との間に連続紙Ｒを掛け渡した後、このトラクタセット５４が固定される。
【００４２】
これが固定される場合、まず、チャック部５５の一部５５Ａをつぶし、軸５２を締め付けるため、図６Ｂの矢印Ｂ方向にハンドル５８が回動される。ハンドル５８が回動されて、図７Ｃに示すように、起立位置に到達すると、図７Ａに示すように、ハンドル５８がベース部５６の端部５６Ａから外れて切欠き５６Ｂの位置に至る。これにより、ベース部５６に対する拘束が解除され、このベース部５６が、コイルスプリング５７のばね力によって付勢されて、図７Ａの矢印Ｄ方向（図５の矢印Ａ方向）に移動する。
【００４３】
すなわち、図６Ｂの状態から、図７Ｂの状態となり、連続紙Ｒに横方向（矢印Ｄ方向）への張力が付与される。
【００４４】
本実施形態では、重錘やワイヤ等を使用しないため、それらが邪魔になることがなく、連続紙Ｒの横方向への張力を安定的に付与することができ、簡単な構成で、その目的を達成することができる。
【００４５】
上記シート押え蓋３２は、図６Ｂに示すように、ピン３２Ａを介して、開閉自在にベース部５６に連結される。ハンドル５８が回動され、図７Ｃの起立位置に到達すると、連続紙Ｒに横方向への張力が付与されるだけでなく、ハンドル５８がシート押え蓋３２の開きを防止する。従って、プリンタ１０の記録中にシート押え蓋３２が開く等のトラブルが防止される。
【００４６】
以上、一実施形態に基づいて本発明を説明したが、本発明は、これに限定されるものでないことは明らかである。
【００４７】
【発明の効果】
本発明では、重錘やワイヤ等を使用せず、簡単な構成で、連続紙の横方向への張力を安定的に付与することができる。
【図面の簡単な説明】
【図１】本発明に係る記録装置の一実施の形態が適用されたドットインパクトプリンタのプリンタ本体を示す断面図である。
【図２】図１のプリンタ本体を示す斜視図である。
【図３】図２のものからリボンカートリッジを外した状態を示す斜視図である。
【図４】図３の記録ヘッド及びキャリッジ等の側面図である。
【図５】トラクタユニットの平面図である。
【図６】Ａはトラクタセットの上面図、Ｂは断面図、Ｃは端面図である。
【図７】Ａはトラクタセットの上面図、Ｂは断面図、Ｃは端面図である。
【符号の説明】
１０  プリンタ（記録装置）
１２  トラクタユニット
１８  記録ヘッド
１９  キャリッジ
３２  シート押え蓋
５１  トラクタ駆動軸
５２  トラクタガイド軸
５３，５４  トラクタセット
５５  チャック部
５６  ベース部
５７  コイルスプリング
５８  ハンドル
【図１】
0003963114.tif 000002
【図２】
0003963114.tif 000003
【図３】
0003963114.tif 000004
【図４】
0003963114.tif 000005
【図５】
0003963114.tif 000006
【図６】
0003963114.tif 000007
【図７】
0003963114.tif 000008